(57)【要約】【課題】ＦＲＰ製チューブへのセレーションの圧入を行うための構成に起因する不具合を解消し、かつ回転トルクの伝達を良くする。【解決手段】ＦＲＰ製の筒部材１２の両端に端部部材１３，１４が結合されているプロペラシャフト１１である。端部部材１３，１４の筒部材１２との結合部分における外周面にセレーション１６が形成され、筒部材１２の強化繊維は複数の層を構成するように外周面において端部部材１３，１４に巻き付けられ、かつ最内層にヘリカル巻層が設けられている。ヘリカル巻層を構成する繊維束はセレーション１６により端部部材１３，１４に対する周方向への相対移動が規制されるとともに全長にわたって連続している。端部部材１３，１４が被巻付け部材１５に嵌合された状態で樹脂含浸繊維束が巻き付けられ、その状態で樹脂が硬化される。【選択図】      図１
2004293714.tif 000002
【特許請求の範囲】
【請求項１】
繊維強化プラスチック製の筒部材の両端に端部部材が結合された動力伝達シャフトであって、
前記端部部材の少なくとも一方は、前記筒部材との結合部分における外周面に係止部が形成され、前記筒部材の強化繊維は複数の層を構成するように前記外周面において前記端部部材に巻き付けられ、かつ最内層を構成する繊維束は互いに交差せずに配列され、前記係止部により前記端部部材に対する周方向への相対移動が規制されている動力伝達シャフト。
【請求項２】
前記最内層は繊維束が互いに平行に配列され、かつ全長にわたって連続しているヘリカル巻にて構成されている請求項１に記載の動力伝達シャフト。
【請求項３】
前記複数の層を構成する繊維束のうちヘリカル巻で配列された繊維束は前記係止部を有する端部部材側の端部が切断されている請求項２に記載の動力伝達シャフト。
【請求項４】
前記複数の層を構成する繊維束のうちヘリカル巻で配列された繊維束は同一層において互いに平行に配列されている請求項１〜請求項３のいずれか一項に記載の動力伝達シャフト。
【請求項５】
前記係止部は前記最内層の繊維束の配列方向に沿って延びる複数の凸条で構成されている請求項１〜請求項４のいずれか一項に記載の動力伝達シャフト。
【請求項６】
前記係止部はセレーションで構成されている請求項５に記載の動力伝達シャフト。
【請求項７】
前記端部部材の両方に前記係止部が設けられている請求項１〜請求項６のいずれか一項に記載の動力伝達シャフト。
【請求項８】
前記端部部材は少なくとも一方がヨークタイプの継手部を備えている請求項７に記載の動力伝達シャフト。
【請求項９】
繊維強化プラスチック製シャフトの少なくとも一端に端部部材が結合された動力伝達シャフトの製造方法であって、
筒状の被巻付け部材の少なくとも一端に、外周面に係止部が形成された繊維束被巻付け部を備えた端部部材を取り付け、該端部部材の前記繊維束被巻付け部を除いた箇所を覆うカバー部を備えた治具を前記端部部材に対して前記被巻付け部材との結合側と反対側から取り外し可能に連結し、前記被巻付け部材を前記端部部材が取り付けられた側は前記治具を介してフィラメントワインディング装置の回転支持部に一体回転可能に支持し、前記治具が取り付けられない側は前記回転支持部に支持される軸部を有する軸部付き端部部材又は前記回転支持部に支持される軸部を有する支持部材を介して前記回転支持部に一体回転可能に支持し、その状態でフィラメントワインディングを行った後、巻き付けられた樹脂含浸繊維束を硬化前又は硬化後に切断し、前記治具と端部部材との連結を解除し、前記支持部材を使用した場合は該支持部材も取り外す動力伝達シャフトの製造方法。
【請求項１０】
フィラメントワインディングは少なくとも最内層にヘリカル巻層が形成されるように行われ、前記係止部は前記最内層の繊維束の配列方向を所定方向に規制可能に規則的に設けられた複数の凸部によって構成されている請求項９に記載の動力伝達シャフトの製造方法。
【請求項１１】
前記係止部は一定間隔で端部部材の軸方向に対して最内層に形成されるヘリカル巻層の樹脂含浸繊維束の配列角度と等しい角度で互いに平行に延びる複数の凸条で構成され、フィラメントワインディングはヘリカル巻層を形成する際は、ヘリカル巻層を構成する全ての樹脂含浸繊維束の巻付けが同時に行われる請求項１０に記載の動力伝達シャフトの製造方法。
【請求項１２】
前記カバー部にはフィラメントワインディング時に樹脂含浸繊維束の配列を規制するピンが突設され、フィラメントワインディング後、巻き付けられた樹脂含浸繊維束を、樹脂硬化前に前記ピンの突設位置より前記繊維束被巻付け部寄りの治具の表面と対向する位置で切断して繊維束供給部に繋がる繊維束から切り離し、その切断箇所より前記ピン側に巻き付けられた未硬化の樹脂含浸繊維束を除去した後、樹脂の加熱硬化を行い、その後、前記繊維束被巻付け部と治具の端部との間と対応する位置で繊維束を硬化樹脂とともに切断し、治具を端部部材から取り外す請求項９〜請求項１１のいずれか一項に記載の動力伝達シャフトの製造方法。
【請求項１３】
前記端部部材は前記被巻付け部材の両端に取り付けられる請求項９〜請求項１２のいずれか一項に記載の動力伝達シャフトの製造方法。
【請求項１４】
少なくとも一方の端部に端部部材が取着された被巻付け部材にフィラメントワインディング法により前記端部部材の一部及び前記被巻付け部材に樹脂含浸繊維束を巻き付ける際に、前記被巻付け部材をフィラメントワインディング装置の回転支持部に取り付けるための治具であって、
前記端部部材の樹脂含浸繊維束が密着して巻き付けられる部分を除いた部分を覆うとともに、前記フィラメントワインディング時に樹脂含浸繊維束の一部が巻き付けられる筒状のカバー部と、
前記カバー部と一体的に形成され、前記フィラメントワインディング装置の回転支持部に支持可能な軸部と、
前記端部部材を前記軸部と前記被巻付け部材の回転中心とが同軸となる状態で支持可能で、前記軸部と一体回転可能な支持部と
を備えた治具。
【請求項１５】
前記カバー部の周面にはピンが一定ピッチで周方向に沿って環状に設けられている請求項１４に記載の治具。
【請求項１６】
前記支持部は、一端側に前記端部部材に取り外し可能に固定される固定部が設けられ、前記固定部が前記端部部材に固定された状態で他端側が前記軸部に形成された孔から前記カバー部の外部に突出可能な長さのシャフトで構成され、該シャフトには前記軸部から突出する位置に雄ねじ部が形成されている請求項１４又は請求項１５に記載の治具。
【発明の詳細な説明】
【０００１】
【発明の属する技術分野】
本発明は、繊維強化プラスチック（以下、ＦＲＰと記載する）製の筒部材の少なくとも一端に端部部材が結合された動力伝達シャフト及びその製造方法並びに治具に関する。
【０００２】
【従来の技術】
車両のエンジンで発生する回転動力を車両の駆動輪に伝達するプロペラシャフトは、一般に金属製シャフト部材の両端に、駆動軸や従動軸と連結する金属製の自在継手（ユニバーサルジョイント）のヨークを溶接したもの（以下、金属製プロペラシャフトという）が使用されている。
【０００３】
近年、車両の軽量化を図るために各構造部材のさらなる軽量化が要求され、プロペラシャフトにおいてもＦＲＰ製のものに切り替えることによる軽量化が検討され、一部実施されている。図１１（ａ）に示すように、ＦＲＰ製プロペラシャフト５１として、ＦＲＰ製パイプ５２の両端（片側のみ図示）に、ＦＲＰ製パイプ５２を駆動軸や従動軸等（図示せず）と連結する金属製の継手（ヨーク）５３を圧入接合した構造のものが一般的である（例えば、特許文献１参照）。
【０００４】
継手５３にはＦＲＰ製パイプ５２との接合部となる外周面に、図１１（ｂ）に示すように、ＦＲＰ製パイプ５２の端部内径より大きな外径のセレーション５４が形成されている。そして、ＦＲＰ製パイプ５２に継手５３の接合部を圧入することで、継手５３のセレーション５４の歯によって、ＦＲＰ製パイプ５２の内周面に溝が刻設され、歯が溝に食い込むことで継手５３とＦＲＰ製パイプ５２とが一体回転するための接合強度が確保される。図１１（ｃ）に示すように、継手５３はＦＲＰ製パイプ５２の内面とセレーション５４の溝の底部との間に隙間が存在する状態でＦＲＰ製パイプ５２に結合されている。
【０００５】
また、図１２（ａ）に示すように、外側端に中心軸５５を突設した端部金具５６を両端にそれぞれ嵌着した薄肉円筒５７を使用してフィラメントワインディング法により製造する方法も提案されている（例えば、特許文献２参照）。この製造方法では、図１２（ｂ）に示すように、樹脂が含浸された炭素繊維５８を端部金具５６から薄肉円筒５７にかけて連続して巻き付けて樹脂含浸炭素繊維層を形成し、そのまま硬化成形した後、必要により中心軸５５を除去してプロペラシャフトを製造する。
【０００６】
また、ＦＲＰ製の内側軸部材の両端に、端面部の中心から軸部が突出する金属製継手部材を嵌合させ、前記内側軸部材及び前記金属製継手部材の筒状部にフィラメントワインディング法により樹脂被覆した繊維束を巻き付けて製造する方法も提案されている（例えば、特許文献３参照）。
【０００７】
【特許文献１】
特開平５−１３９１７０号公報（明細書の段落［００１４］、［００１８］、［００２０］、図１、図２）
【特許文献２】
特開昭５５−１１８８３１号公報（２頁、図３、図４）
【特許文献３】
特開昭５９−５０２１６号公報（２，３頁、図２）
【０００８】
【発明が解決しようとする課題】
特許文献１に開示されたＦＲＰ製プロペラシャフト５１のように、ＦＲＰ製パイプ５２に継手５３を圧入する構成では、圧入時にＦＲＰ製パイプ５２に掛かる多大な応力の対策が必要である。また、ＦＲＰ製パイプ５２の内面とセレーション５４の溝の底部との間に隙間が存在するため、ＦＲＰ製パイプ５２の端面から水分が侵入するのを防止するためシール等の対策が必要であった。また、ＦＲＰ製パイプ５２をフィラメントワインディング法で製造する際に、マンドレルの脱型の工程が必要であった。
【０００９】
一方、特許文献２に開示されたプロペラシャフトでは、継手５３に相当する端部金具５６をＦＲＰ製パイプに圧入する工程が不要なため、セレーションの加工やマンドレルの脱型が不要となり、シール工程も不要となる。しかし、特許文献２に開示されたプロペラシャフトでは、端部金具５６に中心軸５５が必須のため、孔を有する一対の支持部を備えたヨークタイプの継手５３（特許文献１に開示されたもの）を設けることができない。その結果、プロペラシャフトをドライブシャフトと連結するユニバーサルジョイントに一般的な十字軸でなく特別な構造のものが必要となるという問題がある。また、端部金具５６に巻き付けられる炭素繊維５８の折り返し部の回転バランスが悪いという問題がある。また、プロペラシャフトでは一般に回転バランスの正確な調整を行うため、バランスピースを継手に溶接で取り付けていた。しかし、特許文献２に開示された構成のプロペラシャフトでは、継手の部分全体がＦＲＰで被覆されているため、バランスピースを溶接で取り付ける場合には、バランスピースを取り付けるためには、ＦＲＰを構成している繊維を切断する必要があり、強度が低下するという問題がある。バランスピースをＦＲＰ表面に接着で取り付ける場合には、その取り付け強度が不十分であった。
【００１０】
また、特許文献３に開示された製造方法においても、ヨークタイプの継手５３（特許文献１に開示されたもの）を設けることができないという問題がある。さらに、特許文献３に開示された製造方法では、繊維束の巻き付けを前記内側軸部材及び前記金属製継手部材の筒状部にのみ巻き付けるため、ヘリカル巻を行う場合、巻き付け角度を小さくできず、圧縮や引っ張り強度を高めることが難しいという問題がある。
【００１１】
本発明の第１の目的は、ＦＲＰ製チューブへのセレーションの圧入を行うための構成に起因する不具合を解消でき、しかも、回転トルクの伝達が良好な動力伝達シャフトを提供することにある。第２の目的は、前記動力伝達シャフトを容易に製造できるとともに、ヨークタイプの継手を設けることが可能な製造方法を提供することにある。また、第３の目的は、前記動力伝達シャフトを製造する際に使用する治具を提供することにある。
【００１２】
【課題を解決するための手段】
前記第１の目的を達成するため、請求項１に記載の発明は、繊維強化プラスチック製の筒部材の両端に端部部材が結合された動力伝達シャフトである。前記端部部材の少なくとも一方は、前記筒部材との結合部分における外周面に係止部が形成され、前記筒部材の強化繊維は複数の層を構成するように前記外周面において前記端部部材に巻き付けられ、かつ最内層を構成する繊維束は互いに交差せずに配列され、前記係止部により前記端部部材に対する周方向への相対移動が規制されている。
【００１３】
この発明では、端部部材をＦＲＰ製の筒部材に圧入せずに形成可能なため、ＦＲＰ製チューブへのセレーションの圧入を行うための構成に起因する従来の不具合を解消できる。また、ＦＲＰ製の筒部材を構成する繊維束は、端部部材の外周面に形成された係止部により前記端部部材に対する周方向への相対移動が規制され、回転トルクの伝達が良い。
【００１４】
請求項２に記載の発明は、請求項１に記載の発明において、前記最内層は繊維束が互いに平行に配列され、かつ全長にわたって連続しているヘリカル巻にて構成されている。この発明では、繊維束が全長にわたって連続しているため、即ち切断されていないため、回転トルクの伝達が良い。
【００１５】
請求項３に記載の発明は、請求項２に記載の発明において、前記複数の層を構成する繊維束のうちヘリカル巻で配列された繊維束は前記係止部を有する端部部材側の端部が切断されている。この発明では、ヘリカル巻層を形成する繊維束が端部部材の端部で折り返すように配列されていないため、回転バランス良く形成するのが容易となる。また、端部部材が金属製であれば筒部材との結合部から突出した部分にバランスピースを溶接することができる。仮に、端部部材が金属製でない場合でも、強化繊維を切断することなくバランスピースを容易に取り付けることができる。
【００１６】
請求項４に記載の発明は、請求項１〜請求項３のいずれか一項に記載の発明において、前記複数の層を構成する繊維束のうちヘリカル巻で配列された繊維束は同一層において互いに平行に配列されている。この発明では、ヘリカル巻層を形成する際、１層分の繊維束を同時に巻き付けることが可能なため、巻き付け時間の短縮が可能となる。
【００１７】
請求項５に記載の発明は、請求項１〜請求項４のいずれか一項に記載の発明において、前記係止部は前記最内層の繊維束の配列方向に沿って延びる複数の凸条で構成されている。この発明では、最内層を構成する全ての繊維束の配列方向と、係止部としての凸条の延びる方向とが平行なため、端部部材とＦＲＰ製の筒部材との相対移動の規制機能が高まり、回転トルクの伝達がより良好に行われる。
【００１８】
請求項６に記載の発明は、請求項５に記載の発明において、前記係止部はセレーションで構成されている。この発明では、前記係止部の加工が容易となる。
請求項７に記載の発明は、請求項１〜請求項６のいずれか一項に記載の発明において、前記端部部材の両方に前記係止部が設けられている。この発明では、動力伝達シャフトの両側において、請求項１〜請求項６のいずれか一項に記載の発明と対応する効果が得られる。
【００１９】
請求項８に記載の発明は、請求項７に記載の発明において、前記端部部材は少なくとも一方がヨークタイプの継手部を備えている。この発明では、プロペラシャフトとして使用する際、プロペラシャフトをドライブシャフトと連結するユニバーサルジョイントに一般的な十字軸を使用することができる。
【００２０】
第２の目的を達成するため、請求項９に記載の発明は、ＦＲＰ製シャフトの少なくとも一端に端部部材が結合された動力伝達シャフトの製造方法である。筒状の被巻付け部材の少なくとも一端に、外周面に係止部が形成された繊維束被巻付け部を備えた端部部材を取り付け、該端部部材の前記繊維束被巻付け部を除いた箇所を覆うカバー部を備えた治具を前記端部部材に対して前記被巻付け部材との結合側と反対側から取り外し可能に連結する。前記被巻付け部材を前記端部部材が取り付けられた側は前記治具を介してフィラメントワインディング装置の回転支持部に一体回転可能に支持する。前記治具が取り付けられない側は前記回転支持部に支持される軸部を有する軸部付き端部部材又は前記回転支持部に支持される軸部を有する支持部材を介して前記回転支持部に一体回転可能に支持する。そして、その状態でフィラメントワインディングを行った後、巻き付けられた樹脂含浸繊維束を硬化前又は硬化後に切断し、前記治具と端部部材との連結を解除し、前記支持部材を使用した場合は該支持部材も取り外す。
【００２１】
この発明では、マンドレルを使用せずに、端部部材が取り付けられて製品の一部を構成する被巻付け部材及び端部部材の繊維束被巻付け部に樹脂含浸繊維束が巻き付けられて硬化されることにより、端部部材がＦＲＰ製の筒部材に結合される。端部部材は樹脂含浸繊維束が巻き付けられる必要が無い部分をカバー部で覆われた状態で治具を介してフィラメントワインディング装置の回転支持部に支持され、フィラメントワインディングが行われる。フィラメントワインディングの際、樹脂含浸繊維束は治具にも巻き付けられて治具と対応する箇所で折り返すことができ、端部部材に巻き付けながら樹脂含浸繊維束を端部部材で折り返す必要がなく、得られた動力伝達シャフトの回転バランスが良くなる。また、端部部材としてヨークタイプの継手部を備えたものを使用することにより、ヨークタイプの継手部を備えた動力伝達シャフトを容易に製造することができる。
【００２２】
請求項１０に記載の発明は、請求項９に記載の発明において、フィラメントワインディングは少なくとも最内層にヘリカル巻層が形成されるように行われ、前記係止部は前記最内層の繊維束の配列方向を所定方向に規制可能に規則的に設けられた複数の凸部によって構成されている。この発明では、端部部材に設けられた係止部により、樹脂含浸繊維束の端部部材への巻付け角度が適正な値に規制される。
【００２３】
請求項１１に記載の発明は、請求項１０に記載の発明において、前記係止部は一定間隔で端部部材の軸方向に対して最内層に形成されるヘリカル巻層の樹脂含浸繊維束の配列角度と等しい角度で互いに平行に延びる複数の凸条で構成されている。そして、フィラメントワインディングは、ヘリカル巻層を形成する際には、ヘリカル巻層を構成する全ての樹脂含浸繊維束の巻付けが同時に行われる。この発明では、同じヘリカル巻層を構成する全ての樹脂含浸繊維束が同時に巻き付けられるため、樹脂含浸繊維束を巻き付けるのに必要な時間を短縮できて、生産性が向上する。
【００２４】
請求項１２に記載の発明は、請求項９〜請求項１１のいずれか一項に記載の発明において、前記カバー部にはフィラメントワインディング時に樹脂含浸繊維束の配列を規制するピンが突設されている。フィラメントワインディング後、巻き付けられた樹脂含浸繊維束を、樹脂硬化前に前記ピンの突設位置より前記繊維束被巻付け部寄りの治具の表面と対向する位置で切断して繊維束供給部に繋がる繊維束から切り離す。その切断箇所より前記ピン側に巻き付けられた未硬化の樹脂含浸繊維束を除去した後、樹脂の加熱硬化を行う。その後、前記繊維束被巻付け部と治具の端部との間と対応する位置で繊維束を硬化樹脂とともに切断し、治具を端部部材から取り外す。
【００２５】
この発明では、カバー部に突設されたピンの作用により、端部部材の繊維束被巻付け部に巻き付けられる樹脂含浸繊維束の巻付け角度が適正な値に規制される。また、樹脂含浸繊維束の巻付け完了後、治具に巻き付けられた樹脂含浸繊維束のうちピンと対応する箇所に巻き付けられた樹脂含浸繊維束は樹脂硬化前に除去されるため、硬化後に除去するのに比較して容易に除去できる。
【００２６】
請求項１３に記載の発明は、請求項９〜請求項１２のいずれか一項に記載の発明において、前記端部部材は前記被巻付け部材の両端に取り付けられる。この発明では、被巻付け部材の両側において、請求項９〜請求項１２のいずれか一項に記載の発明と対応する効果が得られる。
【００２７】
第３の目的を達成するため、請求項１４に記載の発明は、少なくとも一方の端部に端部部材が取着された被巻付け部材にフィラメントワインディング法により前記端部部材の一部及び前記被巻付け部材に樹脂含浸繊維束を巻き付ける際に、前記被巻付け部材をフィラメントワインディング装置の回転支持部に取り付けるための治具である。治具は、前記端部部材の樹脂含浸繊維束が密着して巻き付けられる部分を除いた部分を覆うとともに、フィラメントワインディング時に樹脂含浸繊維束の一部が巻き付けられる筒状のカバー部を備えている。また、治具は、前記カバー部と一体的に形成され、フィラメントワインディング装置の回転支持部に支持可能な軸部と、前記端部部材を前記軸部と前記被巻付け部材の回転中心とが同軸となる状態で支持可能で、前記軸部と一体回転可能な支持部とを備えている。
【００２８】
この発明の治具を使用する場合は、治具はカバー部が端部部材の樹脂含浸繊維束が密着して巻き付けられる部分を除いた部分を覆う状態で端部部材に取り付けられる。治具は軸部においてフィラメントワインディング装置の回転支持部に支持される。そして、治具を構成する支持部が、端部部材を被巻き付け部材の回転中心と、軸部とが同軸となる状態で支持する。従って、少なくとも一方の端部に端部部材が取着された被巻付け部材は、フィラメントワインディング時に、治具を介してバランスの取れた状態で回転され、端部部材の必要な箇所に樹脂含浸繊維束が密着して巻き付けられる。
【００２９】
請求項１５に記載の発明は、請求項１４に記載の発明において、前記カバー部の周面にはピンが一定ピッチで周方向に沿って環状に設けられている。この発明では、フィラメントワインディングによる樹脂含浸繊維束の巻付け時に、カバー部に設けられたピンにより樹脂含浸繊維束の巻き付け位置が規制されて、樹脂含浸繊維束を端部部材の軸方向に対して所定の角度で巻き付けるのが容易になる。また、樹脂含浸繊維束をピンに巻き掛けて折り返すように配列することが可能になる。
【００３０】
請求項１６に記載の発明は、請求項１４又は請求項１５に記載の発明において、前記支持部は、一端側に前記端部部材に取り外し可能に固定される固定部が設けられている。そして、前記固定部が前記端部部材に固定された状態で他端側が前記軸部に形成された孔から前記カバー部の外部に突出可能な長さのシャフトで構成され、該シャフトには前記軸部から突出する位置に雄ねじ部が形成されている。この発明では、支持部は、一端側に設けられた固定部が端部部材に固定され、他端側が治具の軸部に形成された孔から突出するシャフトの雄ねじ部にナットを螺合することにより、端部部材を所定の位置に支持する。
【００３１】
【発明の実施の形態】
（第１の実施の形態）
以下、本発明を動力伝達シャフトとしてのプロペラシャフトに具体化した第１の実施の形態を図１〜図５に従って説明する。図１（ａ）はプロペラシャフトの一部破断模式側面図、（ｂ）は（ａ）のＡ−Ａ線における模式断面図である。
【００３２】
図１（ａ）に示すように、プロペラシャフト１１は、ＦＲＰ製の筒部材１２と、その第１端部に接合された第１の端部部材１３と、第２端部に接合された第２の端部部材１４と、筒部材１２の内側で第１及び第２の端部部材１３，１４間に配置された筒状の被巻付け部材１５とを備えている。被巻付け部材１５には紙製の円筒が使用されている。第１の端部部材１３には自在継手を構成する継手としての金属製のヨークが使用され、第２の端部部材１４には金属製の滑り継手が使用されている。筒部材１２は、第１及び第２の端部部材１３，１４との結合部分１２ａが肉厚に形成されている。
【００３３】
第１の端部部材１３及び第２の端部部材１４は、筒部材１２との結合部分となる円筒状の繊維束被巻付け部１３ａ，１４ａを備え、その外周面には係止部としてのセレーション１６が形成されている。筒部材１２の強化繊維は複数の層を構成するように巻き付けられた繊維束からなり、最内層にヘリカル巻層が設けられている。繊維束は同一層においては互いに平行に配列されており、セレーション１６はその歯が繊維束の配列方向に沿って延びるように形成されている。ヘリカル巻層を構成する繊維束は、セレーション１６により端部部材１３，１４に対する周方向への相対移動が規制されるとともに筒部材１２の全長にわたって連続している。即ち、セレーション１６が形成された端部部材をＦＲＰ製のパイプに後から圧入する構成と異なり、セレーション１６と係合する繊維束が切断されていない。
【００３４】
セレーション１６の歯は、最内層のヘリカル巻層を構成する繊維束が第１及び第２の端部部材１３，１４の軸方向と成す角度（配列角度）に等しい角度で、第１及び第２の端部部材１３，１４の軸方向に対して延びるように形成されている。また、セレーション１６の歯の高さ、即ち溝の深さは１層分の繊維束の厚さとほぼ同じに形成されている。
【００３５】
第１の端部部材１３は、繊維束被巻付け部１３ａの一端側に継手部１３ｂが突設され、他端側に繊維束被巻付け部１３ａより小径の嵌合筒部１３ｃが突設されている。継手部１３ｂには、例えば十字軸式ジョイントを取り付けるための孔１３ｄが形成されている。第２の端部部材１４は、繊維束被巻付け部１４ａの一端側にシャフト状の継手部１４ｂが突設され、他端側に繊維束被巻付け部１４ａより小径の嵌合筒部１４ｃが突設されている。シャフト状の継手部１４ｂには、筒部材１２をフィラメントワインディング法で形成する際に使用する治具の固定に使用するねじ穴１４ｄが先端に形成されている。第１及び第２の端部部材１３，１４の繊維束被巻付け部１３ａ，１４ａと、継手部１３ｂ，１４ｂとの間には、環状溝１７が形成されている。環状溝１７はバランスピース（図示せず）を溶接する必要がある場合に、該バランスピースが外側に突出しない幅及び深さに形成されている。なお、以後、フィラメントワインディングをＦＷと略す。
【００３６】
被巻付け部材１５はその端部が嵌合筒部１３ｃ，１４ｃの外周に嵌合された状態で第１及び第２の端部部材１３，１４に連結されている。被巻付け部材１５は紙製（例えば、ボール紙製）で円筒状に形成されている。被巻付け部材１５は筒部材１２をＦＷ法で形成する際に、樹脂含浸繊維束が巻き付けられても所定の円筒形状を保つ強度があればよく、プロペラシャフト１１が使用される際のトルク伝達に寄与する強度を有する必要はない。
【００３７】
筒部材１２は、第１及び第２の端部部材１３，１４との結合部分１２ａが肉厚に形成されている。筒部材１２はＦＷ法によって形成され、強化繊維としては炭素繊維のロービングが使用される。ロービングとは細い単繊維のフィラメントを多数本束ねた実質無撚りの繊維束を意味する。マトリックス樹脂としてはエポキシ樹脂が使用されている。
【００３８】
筒部材１２は主にヘリカル巻層で構成されているが、結合部分１２ａ及びその近くにはフープ巻層が形成されている。また、筒部材１２の最外層には炭素繊維束ではなく、ポリエステル糸が全長にわたってフープ巻で巻き付けられている。図１（ｂ）に示すように、第１の端部部材１３と筒部材１２との結合部分の構成は、繊維束被巻付け部１３ａと接触する最内層側から順に、ヘリカル巻層１８ａ、フープ巻層１８ｂ、ヘリカル巻層１８ｃ、ポリエステル糸層１８ｄが設けられた構成となる。
【００３９】
次に前記のように構成されたプロペラシャフト１１の製造方法を説明する。図２は第１の端部部材１３、第２の端部部材１４、被巻付け部材１５及び治具２０の関係を示す模式分解斜視図であり、図３は第１の端部部材１３、第２の端部部材１４、被巻付け部材１５及び治具２０が組み付けられた状態の一部破断模式断面図である。
【００４０】
プロペラシャフト１１を製造する際は、マンドレルを使用せずに、治具２０を使用して第１及び第２の端部部材１３，１４が両端に結合された被巻付け部材１５をＦＷ装置に支持してＦＷが行われる。
【００４１】
図２に示すように、治具２０は、各端部部材１３，１４の樹脂含浸繊維束が密着して巻き付けられる部分を除いた部分を覆うとともに、ＦＷ時に樹脂含浸繊維束の一部が巻き付けられる筒状のカバー部２１を備えている。カバー部２１は一端側が小径に形成され、ＦＷ装置の回転支持部に支持可能な軸部２２がカバー部２１の小径側の端部に連続して一体的に形成されている。カバー部２１の周面にはピン２３が一定ピッチで周方向に沿って環状に設けられている。
【００４２】
また、第１の端部部材１３に組み付けられる治具２０は、第１の端部部材１３を軸部２２と被巻付け部材１５の回転中心とが同軸となる状態で支持可能で、軸部２２と一体回転可能な支持部２４を備えている。支持部２４は、一端側に端部部材１３に取り外し可能に固定される固定部としてのＴ字状部２４ａが設けられたシャフトで構成され、他端側に雄ねじ部２４ｂが形成されている。そして、Ｔ字状部２４ａが孔１３ｄに挿通された状態で、軸部２２から突出した雄ねじ部２４ｂに螺合されるナット２６が締め付けられることにより、軸部２２の端部に一体に形成された座金部２７を介して軸部２２に固定されるようになっている。図３に示すように、治具２０はカバー部２１の端部内面が、継手部１３ｂの段部に嵌合されて、治具２０の芯出しが行われるようになっている。
【００４３】
第２の端部部材１４の支持部に組み付けられる治具２０は、第２の端部部材１４を軸部２２と被巻付け部材１５の回転中心とが同軸となる状態で支持可能で、軸部２２と一体回転可能な支持部としてのボルト２５を備えている。ボルト２５は先端部に雄ねじ２５ａが設けられ、雄ねじ２５ａが端部部材１４に取り外し可能に固定される固定部を構成する。ボルト２５は雄ねじ２５ａがねじ穴１４ｄに螺合される状態で締め付けられることにより、軸部２２の端部に一体に形成された座金部２７を介して軸部２２に固定されるようになっている。図３に示すように、治具２０はカバー部２１の端部内面が、継手部１４ｂの基端の段部に嵌合されて、治具２０の芯出しが行われるようになっている。
【００４４】
図４はＦＷ装置の模式側面図、図５は図４のＢ−Ｂ線における模式部分断面図である。図４に示すように、フィラメントワインディング装置（以下、ＦＷ装置と称す）３０はマンドレルや芯材あるいはタンクを製造する場合のライナ等の被繊維束巻付け部材３１を回転可能に支持する一組の回転支持部材としてのチャック３２を備えている。ＦＷ装置３０は、本願出願人が先に提案した装置（特開２００２−２８３４６７号公報に開示された装置）と同様な巻付けヘッド（ヘリカル巻用ヘッド及びフープ巻用ヘッド）３３を備えており、図４ではヘリカル巻用ヘッドのみが図示されている。巻付けヘッド３３はベースプレート３４上に設けられたレール３５（図５に図示）上をチャック３２に支持された被繊維束巻付け部材３１に沿って、図示しない駆動手段により移動可能となっている。チャック３２は可変速モータ（図示せず）により回転駆動され、制御装置Ｃの指令によってチャック３２が巻付けヘッド３３の移動速度と同期した状態で回転駆動される。そして、図示しない繊維束供給部から樹脂含浸装置を経て供給される繊維束Ｒを、被繊維束巻付け部材３１に対する巻付け角度を任意の角度に設定して被繊維束巻付け部材３１に巻き付けることができるようになっている。
【００４５】
図５に示すように、巻付けヘッド３３は、被繊維束巻付け部材３１に貫通される孔を有する支持板３６を備えている。ヘリカル巻用ヘッドの支持板３６には、複数本の繊維束を同時に被繊維束巻付け部材３１に対してヘリカル巻で巻付け可能とするため、図５に示すように複数のガイド３７が被繊維束巻付け部材３１の周方向に沿って配列された状態で設けられている。この実施の形態では２８本の繊維束を案内可能にそれぞれ２８個の大小２種のガイド３７が２個の同心円上に配列されている。フープ巻部を備えたフープ巻用ヘッドは、繊維束Ｒを被繊維束巻付け部材３１に対して２本同時にフープ巻で巻付け可能とするためのガイドを備えている。ヘリカル巻用ヘッドとフープ巻用ヘッドとは一体的な移動と、独立した状態での移動とが可能に構成されている。そして、数本の繊維束Ｒを同時に被繊維束巻付け部材３１に対してヘリカル巻で巻付け可能となり、ヘリカル巻用ヘッドが被繊維束巻付け部材３１に沿って一回往動又は復動することで被繊維束巻付け部材３１の全周面に亘って繊維束Ｒがヘリカル巻で巻き付けられる。
【００４６】
両端に第１及び第２の端部部材１３，１４がそれぞれ連結された被巻付け部材１５にＦＷを行う場合は、先ず第１及び第２の端部部材１３，１４にそれぞれ治具２０を組み付ける。第１の端部部材１３に治具２０を組み付ける際は、支持部２４のＴ字状部２４ａを孔１３ｄに挿通した後、支持部２４をカバー部２１の大径部側から軸部２２に挿通する。そして、軸部２２から突出した雄ねじ部２４ｂにナット２６を螺合させて締め付けることにより、軸部２２の端面とナット２６との間に介装された座金部２７を介して軸部２２を第１の端部部材１３側に押圧し、支持部２４を介して治具２０が第１の端部部材１３に組み付けられる。
【００４７】
第２の端部部材１４に治具２０を組み付ける際は、カバー部２１を第２の端部部材１４の継手部１４ｂ側を覆うように第２の端部部材１４に当接させ、ボルト２５を座金部２７に挿通して軸部２２側からカバー部２１に挿通する。そして、雄ねじ２５ａを第２の端部部材１４のねじ穴１４ｄに螺合させて締め付けることにより、軸部２２の端面とボルト２５の頭部との間に介装された座金部２７を介して軸部２２を第２の端部部材１４側に押圧し、ボルト２５を介して治具２０が第２の端部部材１４に組み付けられる。そして、図３に示すように、被巻付け部材１５、第１の端部部材１３、第２の端部部材１４及び治具２０が組み付けられると、ＦＷ装置３０の一組のチャック３２間に支持される被繊維束巻付け部材３１を構成する。
【００４８】
そして、作業者により被繊維束巻付け部材３１がＦＷ装置３０のチャック３２に支持される。次に作業者は、繊維束供給部から繊維束Ｒを引き出し、開繊機構、樹脂含浸槽、張力調整部等を経て巻付けヘッド３３に導き、巻付けヘッド３３のガイド３７に挿通した後、繊維束Ｒの端部をカバー部２１の所定位置に固定する。繊維束Ｒの端部の固定作業は作業者が手作業で行い、例えば粘着テープを使用して行われる。
【００４９】
また、作業者は、被繊維束巻付け部材３１の回転速度、巻付けヘッド３３の巻付け時の往復移動幅等の巻付け条件を制御装置Ｃに入力する。繊維束Ｒとして炭素繊維のロービングが使用される。ロービングとは細い単繊維のフィラメントを多数本束ねた実質無撚りの繊維束を意味する。
【００５０】
次にＦＷ装置３０による繊維束Ｒの巻付け運転が開始される。ＦＷ装置３０が駆動されると、被繊維束巻付け部材３１が一定方向に回転され、巻付けヘッド３３が被繊維束巻付け部材３１の長手方向に沿って往復移動される。繊維束Ｒは少なくとも最内層となる一層目がヘリカル巻層を形成するように、被繊維束巻付け部材３１の軸方向となす角度（巻付け角度）が所定の角度となるように巻き付けられる。巻付け角度は製品のＦＲＰパイプに要求される、曲げ、ねじり、振動等の特性を満足する所定の値（例えば、１０〜１５°）に設定される。そして、この巻付け角度がセレーション１６の歯の延びる方向と軸方向との成す角度と同じため、繊維束Ｒはセレーション１６の溝内に配列されるように巻き付けられる。また、繊維束Ｒはカバー部２１に設けられたピン２３の間を通過するように巻き付けられ、ピン２３によってカバー部２１の周方向への移動が規制された状態で巻き付けられる。
【００５１】
ヘリカル巻層が所定層（例えば４層）形成された後、第１及び第２の端部部材１３，１４と対応する部分及び被巻付け部材１５の第１及び第２の端部部材１３，１４の近傍部に、繊維束Ｒの巻付け角度がほぼ９０°に近い状態で巻き付けられる所謂フープ巻層が所定層（例えば１層）形成される。その後、再びヘリカル巻層が所定層（例えば２層）形成された段階で樹脂が含浸された繊維束Ｒの巻き付けが完了する。次にポリエステル糸がフープ巻で巻き付けられる。ポリエステル糸が巻き付けられる際に、内側に巻き付けられている繊維束Ｒに含浸されている樹脂の一部が染み出しポリエステル糸の表面が樹脂で被覆された状態となる。
【００５２】
ポリエステル糸の巻付けが完了した後、被繊維束巻付け部材３１上に形成された成形体３８の両端部を、ピン２３の突設位置より繊維束被巻付け部１３ａ，１４ａ寄りの治具２０の表面と対向する位置でそれぞれ切断する。第１の端部部材１３側の切断位置は、例えば、図６にＡで示す位置となり、第２の端部部材１４側の切断位置も同様な位置になる。そして、繊維束供給部に繋がる繊維束Ｒから成形体３８が切り離された後、被繊維束巻付け部材３１がＦＷ装置３０のチャック３２から取り外され、成形体３８の未硬化の段階で、前記切断位置より軸部２２側に巻き付けられた樹脂含浸繊維束が除去される。
【００５３】
その後、被繊維束巻付け部材３１が成形体３８と共に加熱炉に入れられ、所定温度で樹脂が硬化される。硬化温度は樹脂により異なるが、例えばエポキシ樹脂の場合は１８０℃程度である。加熱硬化後、成形体３８が繊維束被巻付け部１３ａ，１４ａと、カバー部２１の先端との間に対応する位置、この実施の形態では環状溝１７と対応する位置で切断される。図６に示すように、切断はカッター３９により行われる。次に両治具２０を取り外された後、回転バランスの検査が行われる。回転バランスが悪い場合は、バランスピースを第１及び第２の端部部材１３，１４の少なくとも一方に溶接して、バランス調整処理がなされて、筒部材１２の端部に第１及び第２の端部部材１３，１４が結合されたプロペラシャフト１１が完成する。
【００５４】
治具２０を取り外す場合、第１の端部部材１３側では、ナット２６を緩めて支持部２４から取り外し、次にカバー部２１を取り外し、最後にＴ字状部２４ａを孔１３ｄから取り外す。第２の端部部材１４側では、ボルト２５の雄ねじ２５ａと第２の端部部材１４のねじ穴１４ｄとの螺合を解除した後、カバー部２１を取り外すことで治具２０の除去が完了する。
【００５５】
この実施の形態では以下の効果を有する。
（１）  ＦＲＰ製の筒部材１２の両端に結合された第１及び第２の端部部材１３，１４の筒部材１２との結合部分における外周面に、最内層の繊維束の配列方向に沿って延びる複数の凸条で構成された係止部（セレーション１６）が形成されている。そして、筒部材１２の強化繊維は最内層にヘリカル巻層が設けられた複数層に構成され、強化繊維を構成する繊維束Ｒは最内層において前記係止部により第１及び第２の端部部材１３，１４に対する周方向への相対移動が規制されるとともに全長にわたって連続するように配列されている。即ち、ＦＲＰ製の筒部材に端部部材のセレーションを圧入して製造する場合と異なり、繊維が切断されていない。従って、第１及び第２の端部部材１３，１４間のねじり強度が、ＦＲＰ製の筒部材に端部部材のセレーションを圧入して製造されたプロペラシャフトに比較して大きくなり、回転トルクの伝達が良好に行われる。
【００５６】
（２）  前記係止部はセレーション１６で構成されている。従って、複数の凸条をセレーション１６と異なり規則性のない状態で設ける場合に比較して、前記係止部の加工が容易となる。
【００５７】
（３）  被巻付け部材１５が紙製のため、金属製や樹脂製とした場合に比較して軽量化できるとともにコストも安くなる。
（４）  筒部材１２の一端にヨークタイプの継手部１３ｂを備えているため、プロペラシャフトをドライブシャフトと連結するユニバーサルジョイントに一般的な十字軸を使用することができる。
【００５８】
（５）  プロペラシャフト１１を製造する際は、筒状の被巻付け部材１５の両端に、第１及び第２の端部部材１３，１４を連結し、該端部部材１３，１４の繊維束被巻付け部１３ａ，１４ａを除いた箇所を覆うカバー部２１を備えた治具２０を使用してＦＷを行う。そして、ＦＷを行った後、巻き付けられた樹脂含浸繊維束を硬化前又は硬化後に切断し、治具２０と端部部材１３，１４との連結を解除することにより、筒部材１２の両端に第１及び第２の端部部材１３，１４が結合されたプロペラシャフト１１が製造される。
【００５９】
従って、ＦＷの際にマンドレルを使用しないため、マンドレルからの脱型工程が不要となる。その結果、マンドレルの径の管理やその補修（再メッキ等）が不要となるとともに、筒部材１２の寸法精度（内径、端面直角度、面粗度）が高くなくてもよく、製造コストが低くなる。また、第１及び第２の端部部材１３，１４のセレーション１６をＦＲＰ製の筒部材１２に圧入しないため、その分低コストになるとともに、ＦＲＰ製チューブへセレーションの圧入を行う構成に起因する従来の不具合を解消できる。即ち、端部部材の圧入によりクラックが発生する虞がなく、クラック発生を防止するためにＦＲＰ製の筒部材１２の精度を高める必要がなく、セレーション加工の精度を高める必要もない。例えば、セレーション１６の歯の加工にホブを使用せずに転造でよくなる。また、樹脂含浸繊維束がセレーションの溝内を埋めるように配列された後、樹脂が硬化されるため、筒部材１２の内面とセレーション１６の溝の底部との間に隙間が存在しないため、端面から水分が侵入するのを防止するシールが不要となる。さらに、セレーション１６が熱硬化性樹脂に埋まった状態で熱硬化性樹脂が硬化されるため、従来のＦＲＰ製のパイプに後からセレーションを圧入する場合に比較して、セレーション１６と熱硬化性樹脂との接着面積が大きくなり、ねじり強度がより大きくなる。
【００６０】
（６）  第１及び第２の端部部材１３，１４は樹脂含浸繊維束が巻き付けられる必要が無い部分をカバー部２１で覆われた状態で治具２０を介してＦＷ装置３０のチャック３２に支持され、ＦＷが行われる。従って、ＦＷの際、樹脂含浸繊維束は治具２０にも巻き付けられて治具２０と対応する箇所で折り返すことができ、第１及び第２の端部部材１３，１４に巻き付けながら樹脂含浸繊維束を第１及び第２の端部部材１３，１４で折り返す必要がない。その結果、得られるプロペラシャフト１１の回転バランスが良くなる。また、特許文献２に記載の方法と異なり、第１の端部部材１３の継手部１３ｂのようにヨークタイプの継手部１３ｂであっても支障なく設けることができる。さらに、第１及び第２の端部部材１３，１４が金属製で、筒部材１２との結合部から突出した部分が存在するため、バランスピースを溶接することができる。
【００６１】
（７）  ＦＷは少なくとも最内層にヘリカル巻層が形成されるように行われる。第１及び第２の端部部材１３，１４の繊維束被巻付け部１３ａ，１４ａの外周面には、一定間隔で第１及び第２の端部部材１３，１４の軸方向に対して、最内層に形成されるヘリカル巻層の樹脂含浸繊維束の配列角度と等しい角度で互いに平行に延びる複数の凸条（セレーション１６）が形成されている。そして、ＦＷは、ヘリカル巻層を形成する際には、ヘリカル巻層を構成する全ての樹脂含浸繊維束の巻付けが同時に行われる。従って、樹脂含浸繊維束を巻き付けるのに必要な時間を短縮できて、生産性が向上する。
【００６２】
（８）  カバー部２１にはＦＷ時に樹脂含浸繊維束の配列を規制するピン２３が突設されている。従って、第１及び第２の端部部材１３，１４の繊維束被巻付け部１３ａ，１４ａに巻き付けられる樹脂含浸繊維束の巻付け角度が適正な値に規制され、プロペラシャフト１１のねじり強度の向上に寄与する。
【００６３】
（９）  ＦＷ後、被繊維束巻付け部材３１に巻き付けられた樹脂含浸繊維束を、樹脂硬化前にピン２３の突設位置より繊維束被巻付け部１３ａ，１４ａ寄りの治具２０の表面と対向する位置で切断して繊維束供給部に繋がる繊維束Ｒから切り離す。その切断箇所よりピン２３側に巻き付けられた未硬化の樹脂含浸繊維束を除去した後、樹脂の加熱硬化を行う。従って、治具２０に巻き付けられた樹脂含浸繊維束のうちピン２３と対応する箇所に巻き付けられた樹脂含浸繊維束は樹脂硬化前に除去されるため、硬化後に除去するのに比較して容易に除去でき、治具２０を再使用するための手間が少なくなる。例えば、樹脂硬化後にピン２３が突出している部分のＦＲＰを除去するには、ピン２３を取り外し可能に構成し、ピン２３をカバー部２１から取り外した後、前記ＦＲＰを除去する必要があり、作業が面倒になる。
【００６４】
（１０）  セレーション１６は歯の高さが、１層分の繊維束Ｒの厚さとほぼ同じに形成されているため、１層目のヘリカル巻層と配列方向が軸線に対して対称な２層目を構成する繊維束Ｒの配列に支障を与えない。
【００６５】
（１１）  第１及び第２の端部部材１３，１４に環状溝１７が形成されており、治具２０が第１及び第２の端部部材１３，１４に連結された状態では、環状溝１７はカバー部２１に覆われず、繊維束Ｒは環状溝１７を跨いで巻き付けられる。従って、成形体３８の加熱硬化後に環状溝１７と対応する位置で成形体３８を切断することにより、切断時にカッター３９の刃が傷ついたり、あるいは第１及び第２の端部部材１３，１４が傷つけられることを回避できる。また、バランスピースを環状溝１７内に溶接すれば、バランスピースが第１及び第２の端部部材１３，１４の周面から突出するのを回避できる。
【００６６】
（１２）  治具２０は、カバー部２１と一体的に形成され、ＦＷ装置３０のチャック３２に支持可能な軸部２２を備えており、第２の端部部材１４のように、軸状の継手部１４ｂを有する端部部材であっても、端部部材の軸部はＦＷ装置３０のチャック３２に支持されることはない。従って、製品の軸部（シャフト）をＦＷ装置３０のチャック３２で支持してＦＷを行う特許文献２に開示された方法と異なり、製品の軸部（継手部１４ｂ）が傷つく虞がない。
【００６７】
（１３）  第１の端部部材１３と治具２０とを連結固定する支持部２４は、Ｔ字状のシャフトで構成されている。そして、Ｔ字状部２４ａが第１の端部部材１３の孔１３ｄと係合した状態で、軸部２２から突出した雄ねじ部２４ｂに螺合するナット２６を締め付けることで第１の端部部材１３と治具２０とが連結固定され、ナット２６を緩めると、カバー部２１と第１の端部部材１３との係合が解除される。従って、治具２０の第１の端部部材１３への組み付け、取り外しが簡単である。
【００６８】
（１４）  第２の端部部材１４と治具２０とを連結固定する支持部はボルト２５で構成され、その先端部に形成された雄ねじ２５ａを第２の端部部材１４の継手部１４ｂに形成されたねじ穴１４ｄに螺合させて締め付けることで、第２の端部部材１４と治具２０とが連結固定される。そして、ボルト２５を緩めると、カバー部２１と第２の端部部材１４との係合が解除される。従って、治具２０の第２の端部部材１４への組み付け、取り外しが簡単である。
【００６９】
（第２の実施の形態）
次に第２の実施の形態を図７及び図８に従って説明する。この実施の形態では第１の端部部材１３のヨーク径、即ち継手部１３ｂを構成する一組の支持片４０ａが突設される大径部４０の外径が、繊維束被巻付け部１３ａの外径より大きな場合の製造方法に関するものである。ヨーク径が繊維束被巻付け部１３ａの外径より大きいと、第１の端部部材１３の継手部１３ｂをカバー部２１で覆った状態で治具２０を第１の端部部材１３に連結したときに、カバー部２１と繊維束被巻付け部１３ａとの間に段差部が存在する状態となる。従って、樹脂が含浸された繊維束Ｒを被繊維束巻付け部材３１にＦＷで巻き付けると、繊維束被巻付け部１３ａのカバー部２１寄りにおいて、繊維束Ｒがセレーション１６の溝内に配列するのが困難となる。
【００７０】
この実施の形態はそのような不具合を解消することができる製造方法に関するものである。そして、第１の端部部材１３が繊維束被巻付け部１３ａ側と継手部１３ｂ側とに分割され、ＦＷによる繊維束Ｒの巻付け、成形体３８の硬化及び治具２０の取り外しが完了した後、継手部１３ｂ側が繊維束被巻付け部１３ａ側に結合される点が第１の実施の形態と大きく異なっている。第１の実施の形態と同様な部分は同一符号を付して詳しい説明を省略する。図７はプロペラシャフト１１の第１の端部部材１３側の部分模式分解側面図、図８は治具の連結状態を示す模式部分断面図である。
【００７１】
図７に示すように、第１の端部部材１３は繊維束被巻付け部１３ａが形成された支持筒４１と、継手部１３ｂとから構成され、筒部材１２の形成が完了した後、支持筒４１と継手部１３ｂとが摩擦圧接で接合される。支持筒４１には、筒部材１２に結合された状態で筒部材１２から突出する突出部４１ａが形成されている。また、支持筒４１の中心には、ねじ孔４１ｃが形成されている。継手部１３ｂの大径部４０には突出部４１ａの先端の環状部と同径の接合部４０ｂが突設されている。
【００７２】
図８に示すように、第１の端部部材１３に連結される治具２０は第１の実施の形態と異なり、第１の端部部材１３を軸部２２と被巻付け部材１５の回転中心とが同軸となる状態で支持可能で、軸部２２と一体回転可能な支持部としてボルト２５を備えている。従って、治具２０は第２の端部部材１４側の治具２０と同様な構成となる。ボルト２５は雄ねじ２５ａがねじ孔４１ｃに螺合可能な太さに形成されている。
【００７３】
この実施の形態では被巻付け部材１５の一端に支持筒４１が、他端に第２の端部部材１４がそれぞれ嵌合され、支持筒４１及び第２の端部部材１４に治具２０が組み付けられて被繊維束巻付け部材３１が構成される。支持筒４１に対する治具２０の組み付けは、図８に示すように、カバー部２１を支持筒４１の突出部４１ａを覆うように支持筒４１に当接させ、ボルト２５を座金部２７に挿通して軸部２２側からカバー部２１に挿通する。そして、雄ねじ２５ａを支持筒４１のねじ孔４１ｃに螺合させて締め付けることにより、軸部２２の端面とボルト２５の頭部との間に介在する座金部２７を介して軸部２２を支持筒４１側に押圧し、ボルト２５を介して治具２０が支持筒４１に組み付けられる。
【００７４】
そして、前記のように構成された被繊維束巻付け部材３１が第１の実施の形態と同様にＦＷ装置３０のチャック３２に支持された状態でＦＷが行われ、被繊維束巻付け部材３１上に成形体３８が形成される。次に、成形体３８の未硬化の段階で、カバー部２１上に巻き付けられている樹脂含浸繊維束の大部分が除去された後、成形体３８が硬化され、加熱硬化後、成形体３８が所定の位置で切断される。
【００７５】
次に、筒部材１２に結合された支持筒４１の突出部４１ａに継手部１３ｂが摩擦圧接によりに溶着される。継手部１３ｂを突出部４１ａに溶着する際には、筒部材１２を固定し、継手部１３ｂ側を回転させた状態で、継手部１３ｂの接合部４０ｂの端面を突出部４１ａの端面に圧接させる。摩擦圧接装置（図示せず）には、図７に鎖線で示すように、突出部４１ａと係合して支持筒４１を芯出しした状態で支持する金属製の芯出し支持部４２が設けられている。そして、芯出し支持部４２が突出部４１ａと係合することにより、支持筒４１はその回転が阻止された状態で支持されて摩擦圧接が行われる。継手部１３ｂの溶着が完了すると、プロペラシャフト１１が完成する。
【００７６】
この実施の形態の製造方法では、第１の実施の形態の（５）〜（１２），（１４）と同様の効果を有する他に次の効果を有する。
（１５）  ヨークタイプの継手部１３ｂを備えた第１の端部部材１３は、ＦＷにより支持筒４１が結合された筒部材１２の完成後に、継手部１３ｂが支持筒４１に溶着される。従って、継手部１３ｂの大径部４０の外径が繊維束被巻付け部１３ａの外径より大きな場合でも、繊維束被巻付け部１３ａのセレーション１６の溝内に最内層の繊維束Ｒが確実に充填された状態に配列することができる。
【００７７】
（１６）  継手部１３ｂの大径部４０の外径が繊維束被巻付け部１３ａの外径より小さな場合でも、継手部１３ｂ以外の部分を予め製造して保管しておき、必要なときに継手部１３ｂを溶着することにより、継手部１３ｂの形状が車種に対応して多種存在する場合に対応し易くなる。また、継手部１３ｂを除いた他の部分からなる中間製品の状態で、部品メーカーから組立メーカーに納品し、組立メーカーが独自の継手部１３ｂを溶着することも可能となる。
【００７８】
（１７）  第１の端部部材１３を軸部２２と一体回転可能に支持するためのＴ字状部２４ａを設ける必要がなく、第１及び第２の端部部材１３，１４に組み付ける治具２０の構成を同じ構成にすることが可能となる。
【００７９】
（１８）  継手部１３ｂと支持筒４１との溶着が摩擦圧接により行われる。従って、溶着作業の際に火花が飛ぶ虞がなく、火花の飛散防止処置が不要になる。（１９）  筒部材１２は熱に比較的弱いため、筒部材１２に結合された支持筒４１に金属製の継手部１３ｂを摩擦圧接により溶着する際、摩擦圧接による熱で筒部材１２が加熱されるのを抑制する必要がある。この実施の形態では、金属製の芯出し支持部４２が支持筒４１に接触した状態で摩擦圧接が行われるため、摩擦圧接の際に発生する熱が芯出し支持部４２を介して逃げる状態となり、筒部材１２が加熱されるのを抑制することができる。
【００８０】
なお、実施の形態は前記に限定されるものではなく、例えば、次のように具体化してもよい。
○  筒部材１２の最内層を構成し、互いに交差せずに配列される繊維束は、ヘリカル巻に限らず、フープ巻であってもよい。この場合、第１及び第２の端部部材１３，１４の繊維束被巻付け部１３ａ，１４ａの外周面に形成される係止部として、ねじ状の溝が形成される。また、フープ巻の範囲はＦＲＰ製の筒部材１２の全長に亘ってもよいし、繊維束被巻付け部１３ａ，１４ａを覆う部分のみでもよい。
【００８１】
○  繊維束被巻付け部１３ａ，１４ａの外周面に形成される係止部は、最内層に形成されるヘリカル巻層を構成する繊維束Ｒが該係止部により第１及び第２の端部部材１３，１４に対する周方向への相対移動を規制可能な形状であればよく、セレーション１６に限らない。例えば、繊維束Ｒの配列方向に沿って延びるように形成された複数の凸条を設けてもよい。凸条は繊維束被巻付け部１３ａ，１４ａの軸方向全長に連続している必要はなく、また、隣接する凸条間の周方向における間隔も一定でなくてもよい。この場合も、同一層においては繊維束Ｒが互いに平行に配列される構成において、最内層のヘリカル巻層が所定の巻付け角度で巻き付けられるのに凸条が寄与する。
【００８２】
〇  繊維束被巻付け部１３ａ，１４ａの外周面に形成される係止部は、最内層に配列される繊維束Ｒの配列方向に沿って延びる凸条に限らず、軸方向に対する配列角度が互いに反対となるヘリカル巻層を構成するいずれの繊維束Ｒに対してもその配列を案内可能な多数の凸部を係止部として設けてもよい。例えば、図９（ａ）に示すように、繊維束被巻付け部１３ａの表面に多数のピン４３を突設したり、図９（ｂ）に示すように、溝が繊維束Ｒの配列角度と同じ方向に延びるローレット４４を形成してもよい。繊維束被巻付け部１４ａについても同様なピン４３やローレット４４を設けてもよい。図９（ａ）ではピン４３の長さを誇張して表しているが、ピン４３は少なくともヘリカル巻層１層分の厚さに相当する長さ以上で、最外層に配列された繊維束Ｒの外側に突出しない長さが好ましい。ローレット４４の溝の深さは、ヘリカル巻層１層分の厚さに相当する深さが加工の容易性の点から好ましい。
【００８３】
これらの係止部（ピン４３又はローレット４４）が設けられた第１及び第２の端部部材１３，１４を使用した場合は、同一層において繊維束Ｒが互いに平行に配列される構成は必ずしも必要ではない。同時に巻き付ける繊維束の本数が１本の一般的なＦＷ装置を使用してヘリカル巻層を形成すると、ヘリカル巻層を構成する繊維束は同じ層内で互いに交差するように配列される。従って、係止部がヘリカル巻層を構成する繊維束Ｒの配列方向に沿って延びる凸条の場合は、繊維束Ｒを該凸条が存在する面内で交差するように配列することが阻止されるため一般的なＦＷ装置を使用してヘリカル巻層を形成すると、繊維束の配列が円滑に行われない。しかし、前記構成のピン４３やローレット４４が設けられた場合は、同時に巻き付ける繊維束の本数が１本の一般的なＦＷ装置を使用してヘリカル巻層を形成しても、繊維束が係止部によって案内されて所定の巻付け角度で良好に配列される。
【００８４】
○  繊維束被巻付け部１３ａ，１４ａの外周面に形成される係止部として、外周面をサンドブラスト等で粗面化した構成としてもよい。この場合も、最内層に形成されるヘリカル巻層を構成する繊維束の周方向への移動が規制される。
【００８５】
〇  第１及び第２の端部部材１３，１４の繊維束被巻付け部１３ａ，１４ａの外径は一定に限らず、例えば、図１０（ａ）〜（ｄ）に示すように、テーパ部を有する形状に形成してもよい（第１の端部部材１３のみ図示）。なお、図ではテーパを誇張して表している。繊維束被巻付け部１３ａ，１４ａが継手部１３ｂ，１４ｂ側に向かって拡径となるテーパ部を有する第１及び第２の端部部材１３，１４を使用した場合は、第１及び第２の端部部材１３，１４が筒部材１２から抜け難くなる。
【００８６】
○  第１及び第２の端部部材１３，１４に環状溝１７を設けなくてもよい。しかし、成形体３８を切断する際にカッター３９が第１及び第２の端部部材１３，１４に当たるのを防止するため段差部を設けるとともに、段差部にカバー部２１の端部が、繊維束被巻付け部１３ａ，１４ａの端面に当接するのを規制する凸部（例えばピン）を設けてもよい。
【００８７】
○  第２の実施の形態において、成形体３８の切断時にカッター３９がカバー部２１に当たるのを防止するため、カバー部２１の外周面に環状溝を設けたり、段差部を設けてもよい。
【００８８】
〇  被巻付け部材１５は紙製の円筒に限らず、樹脂製としてもよい。耐熱性が不充分な熱可塑性の樹脂製とした場合は、成形体３８を硬化させる際に被巻付け部材１５が溶融し、筒部材１２の内面に偏った状態で付着して回転バランス不良となり易い。従って、熱硬化性樹脂製もしくは耐熱性の熱可塑性樹脂とする方がよい。耐熱性の熱可塑性樹脂とする場合、ＦＲＰマトリックス樹脂の硬化温度（百数十℃）より耐熱温度が高い樹脂がより好ましいが、マトリックス樹脂の初期硬化温度（１００℃程度）より耐熱温度が高ければ適用可能である。被巻付け部材１５が紙製の場合は、プロペラシャフト１１を使用する際、被巻付け部材１５の部分は回転トルクの伝達に殆ど寄与しないが、樹脂製とすることにより回転トルクの伝達に寄与する。また、樹脂製の方が紙製より被巻付け部材１５の真円精度が高く、回転バランスが良い。熱硬化性樹脂としては、例えば、フェノール樹脂、ユリア樹脂、メラミン樹脂、アルキッド樹脂、不飽和ポリエステル樹脂、エポキシ樹脂、ジアリルフタレート樹脂、シリコーン樹脂、ポリウレタン樹脂等が挙げられる。耐熱性の熱可塑性樹脂のうち、エポキシ（マトリックス）硬化温度以上の耐熱性があるものとして、例えば、ポリエーテルエーテルケトン（ＰＥＥＫ）、液晶ポリマー（ＬＣＰ）、ポリアミドイミド（ＰＡＩ）、熱可塑性ポリイミド（ＰＩ）、ポリフェニレンサルファイド（ＰＰＳ）、ポリサルホン（ＰＳＦ）、ポリエーテルスルホン（ＰＥＳ）、ポリアリレート（ＰＡＲ）、ポリエーテルイミド（ＰＥＩ）等の所謂スーパーエンプラが挙げられる。また、エポキシ初期硬化温度より耐熱性がある熱可塑性樹脂としては、ポリアミド＝ナイロン（ＰＡ）、ポリカーボネート（ＰＣ）、ポリエチレンテレフタレート＝ポリエステル（ＰＥＴ）等の汎用エンプラで耐熱性が比較的高いものが挙げられる。
【００８９】
〇  被巻付け部材１５として熱硬化性樹脂を含浸、硬化させた紙製としてもよい。この場合も樹脂製の被巻付け部材１５を使用した場合と同様な効果が得られる他に、熱硬化性樹脂だけで被巻付け部材１５を製造する場合に比較して製造が簡単になる。
【００９０】
〇  被巻付け部材１５としてＦＲＰ製の円筒を使用してもよい。強化繊維としては炭素繊維が好ましい。また、本硬化したＦＲＰ製の円筒に限らず、プレキュア（前硬化）された状態のＦＲＰ製の円筒を使用してもよい。プレキュアされた状態のＦＲＰ製の円筒は成形体３８の硬化時に本硬化されるため、製品であるプロペラシャフト１１として完成した段階では、回転トルクの伝達に寄与する。そして、炭素繊維強化のＦＲＰ製の円筒を使用した場合は、被巻付け部材１５に巻き付けられた繊維束Ｒによって形成されるヘリカル巻層の層数を減らすことも可能になり、小径化、軽量化に寄与する。また、プレキュアされた状態のＦＲＰ製の円筒の場合、その上に巻き付けられる樹脂含浸繊維束との接着強度が、本硬化されたＦＲＰ製の円筒に巻き付ける場合に比較して高くなる。
【００９１】
〇  被巻付け部材１５として金属製の円筒を使用してもよい。金属製とする場合は、軽量で耐熱性及び剛性の高い金属で形成されたものが好ましい。この場合も紙製より被巻付け部材１５の真円精度が高く、回転バランスが良くなる。
【００９２】
○  被巻付け部材１５の外周面に係止部を設けてもよい。係止部としては例えば、表面を荒らして多数の凹凸を形成したものや、繊維束Ｒの配列方向に沿って延びる溝を有するローレット加工を施したものが挙げられる。この場合、前記係止部により繊維束Ｒの巻き付け時に繊維束を所定の位置に巻き付け易くなる。また、前記係止部により繊維束Ｒが被巻付け部材１５の周方向に相対移動するのが規制されるため、被巻付け部材１５を金属製や樹脂製として被巻付け部材１５にもトルク伝達機能を持たせる構成においてより有効となる。
【００９３】
○  被巻付け部材１５と第１及び第２の端部部材１３，１４との結合は、１３，１４の嵌合筒部１３ｃ，１４ｃの外周面に被巻付け部材１５の端部を嵌合させるのではなく、嵌合筒部１３ｃ，１４ｃの内面に被巻付け部材１５の端部を嵌合させてもよい。また、嵌合筒部１３ｃ，１４ｃを突設せずに、繊維束被巻付け部１３ａ，１４ａの端面に被巻付け部材１５の端部が嵌合される嵌合穴を形成してもよい。それらの場合、被巻付け部材１５を一定径とせずに、端部を小径としてもよい。
【００９４】
○  被巻付け部材１５に制振作用を持たせてもよい。プロペラシャフト１１が自動車に組み付けられた場合、露出状態で使用されるため、走行中にタイヤが跳ねた小石等の異物が当たることがあり、その際、大きな音が発生する。被巻付け部材１５に制振作用を持たせることにより、前記異物が当たった際の振動を吸収して大きな音の発生を抑制することができる。例えば、ボール紙製や段ボール製の筒の表面に樹脂の含浸を阻止する処理を施したり、被巻付け部材１５の材質を独立気泡の発泡体で形成する。独立気泡の発泡体としては、例えばポリイミド系の発泡プラスチックなどが適用可能である。
【００９５】
〇  端部部材の組み合わせは、ヨークタイプの第１の端部部材１３と、シャフトを有するタイプの第２の端部部材１４との組み合わせに限られない。例えば、プロペラシャフト１１の使用態様に応じて、ヨークタイプの第１の端部部材１３が筒部材１２の両端に結合された構成や、シャフトを有するタイプの第２の端部部材１４が筒部材１２の両端に結合された構成としてもよい。これらのプロペラシャフト１１も前記各実施の形態と同様にして製造することができる。
【００９６】
○  筒部材１２は必ずしも結合部分１２ａの肉厚が厚く形成されるものに限らず、全長にわたって一定の厚さであってもよい。両端部部材１３，１４はＦＲＰ製の筒部材１２に後から圧入するのではなく、各端部部材１３，１４の繊維束被巻付け部１３ａ，１４ａに樹脂が含浸された繊維束Ｒを巻き付けて硬化させるため、圧入時にＦＲＰ製の筒部材１２に掛かる応力に対抗する機能を有するフープ巻層１８ｂの層数を少なくしたり省略してもよい。省略した場合は、筒部材１２は全長にわたって一定の厚さとなり、軽量化にも寄与する。
【００９７】
〇  成形体３８の一部（樹脂含浸繊維束）を硬化前にカバー部２１から除去する際、ピン２３を抜いた後に除去してもよい。
〇  成形体３８の硬化前には繊維束供給部に繋がる繊維束の切断だけを行い、不要な部分の除去は成形体３８の硬化後に、ピン２３を抜いた状態で除去するようにしてもよい。ピン２３が取り外し不能な場合は、成形体３８の硬化後に不要な部分を除去するには、不要な部分を細かく破壊して除去する必要があるが、ピン２３を取り外し可能にすることにより、成形体３８の硬化後に不要な部分を除去するのが容易となる。
【００９８】
〇  カバー部２１のピン２３を省略してもよい。ピン２３を省略した構成では、成形体３８の硬化後に不要な部分の除去を行う場合でも、ピン２３の抜き取り作業が不要となり、成形体３８の不要部分の除去作業が容易になる。
【００９９】
〇  ヨークタイプの第１の端部部材１３に組み付ける治具２０において、繊維束被巻付け部１３ａ側と継手部１３ｂ側との間にある壁にねじ孔を形成し、支持部としてボルトを使用してもよい。この場合、Ｔ字状部２４ａを備えた支持部２４より構造が簡単になる。
【０１００】
○  治具２０は、第１及び第２の端部部材１３，１４を軸部２２と被巻付け部材１５の回転中心とが同軸となる状態で支持可能で、軸部２２と一体回転可能な支持部と、カバー部２１とを一体に形成してもよい。例えば、カバー部の内側において軸部２２と同軸にシャフトを設けその先端に雄ねじ部を設ける。そして、第１の端部部材１３には前記雄ねじ部が螺合されるねじ孔を又はねじ穴を設ける。
【０１０１】
○  治具２０の軸部２２をカバー部２１と分離可能とし、軸部２２と前記支持部とを一体に形成してもよい。例えば、カバー部２１の端部に軸部２２が嵌合される孔を形成し、軸部２２をその孔に嵌合した状態で雄ねじ部を第１及び第２の端部部材１３，１４のねじ孔又はねじ穴に螺合させる。
【０１０２】
○  第２の端部部材１４に取り付ける治具２０の芯出しは、カバー部２１の端部内面を、継手部１４ｂの基端の段部に嵌合することにより行う構成に代えて、継手部１４ｂの軸部が治具２０の軸部２２の内面と嵌合することで芯出しが行われる構成としてもよい。
【０１０３】
○  治具２０と端部部材１３，１４とを固定する方法は、上記実施の形態に限らない。例えば、第１の端部部材１３を固定する方法として、カバー部２１にヨークタイプの継手部１３ｂに形成されている孔１３ｄと対応する孔を形成する。そして、カバー部２１が継手部１３ｂの段部と嵌合した状態で、その孔及び孔１３ｄが対応し、その状態で孔及び孔１３ｄを貫通するようにピンを挿入して、治具２０と第１の端部部材１３とを固定してもよい。
【０１０４】
また、第２の端部部材１４と治具２０とを固定する場合、継手部１４ｂのシャフト部にねじ穴１４ｄを設けずに、第２の端部部材１４と治具２０とを固定する補助部材を使用する。補助部材は板材の両端が直角に折り曲げられて形成され、継手部１４ｂのシャフト部の中間位置に形成された溝部に係止される係止部が一端に形成され、ボルト２５の雄ねじ２５ａが螺合されるねじ孔が他端に形成されている。そして、係止部が前記溝部に係止されて第２の端部部材１４に固定された状態で、ボルト２５の雄ねじ２５ａがねじ孔に螺合されることにより第２の端部部材１４と治具２０とが固定される。
【０１０５】
○  筒部材１２に巻き付けられる繊維束Ｒのうち、少なくとも最内層に配列されるヘリカル巻層を構成する繊維束Ｒが同一層内において互いに平行に配列されていれば、他の層は互いに平行に配列されていなくてもよい。例えば、最内層のヘリカル巻層のみ全周一斉に繊維束Ｒを配列し、他の層は１〜３本の繊維束の巻付けにより構成してもよい。
【０１０６】
○  ＦＷ後、巻き付けられた樹脂含浸繊維束を、樹脂硬化前に治具２０の端部と繊維束被巻付け部１３ａ，１４ａとの間と対応する位置で切断する。そして、治具２０を第１及び第２の端部部材１３，１４から取り外し、被巻付け部材１５及び第１及び第２の端部部材１３，１４に巻き付けられた樹脂含浸繊維束（成形体３８）を硬化する。切断前に切断箇所を含む一定幅の領域にテープを巻き付け、テープの上から成形体３８を切断する。この場合、切断作業が１回で済む。また、テープを巻き付けた状態で成形体３８を切断するため、未硬化の状態でも、切断端部の繊維束Ｒが毛羽立つのが抑制される。
【０１０７】
○  筒部材１２との結合部分にセレーション１６等の係止部が形成された端部部材が筒部材１２の一端に結合され、他端にはセレーションが形成された継手を筒部材１２が形成された後から圧入する構成としてもよい。この構成のプロペラシャフト１１を製造する場合は、被巻付け部材１５の一端に第１及び第２の端部部材１３，１４の一方を嵌合するとともに治具２０を組み付け、他端にはＦＷ装置３０のチャック３２に支持される軸部を有する支持部材組み付けて被繊維束巻付け部材３１を構成する。そして、ＦＷ法により一端に端部部材が結合されたＦＲＰ製の筒部材１２を形成し、セレーションが形成された継手を筒部材１２の他端に圧入する。この場合でも、セレーションが形成された継手をＦＲＰ製のパイプの両端に圧入する構成に比較して、圧入に起因する不具合を抑制することができる。
【０１０８】
○  筒部材１２との結合部分にセレーション１６等の係止部が形成された端部部材が筒部材１２の両端に結合されたプロペラシャフト１１であっても、ＦＷの際に片側のみ治具２０を介してＦＷ装置３０に支持し、片側は治具２０を介さずにチャック３２に支持してもよい。例えば、治具２０を組み付けない側の端部部材は、チャック３２に支持される軸部を有する軸部付き端部部材を使用する。そして、ＦＷにより樹脂含浸繊維束が被巻付け部材１５及び端部部材に巻き付けられる。治具２０を使用しない側は、端部部材で折り返すように繊維束が巻き付けられるが、両側とも端部部材に巻き掛けられて繊維束が折り返す構成に比較して、プロペラシャフト１１の回転バランスは良くなる。
【０１０９】
○  セレーション１６の歯の高さ、即ち溝の深さは１層分の繊維束の厚さとほぼ同じに限らず、最内層の繊維束の厚さの１／４層程度〜１層分あれば充分である。
【０１１０】
○  治具２０を第１及び第２の端部部材１３，１４に連結する際、第１及び第２の端部部材１３，１４に当接されるカバー部２１の端面と、第１及び第２の端部部材１３，１４との隙間から、樹脂がカバー部２１の内側に入り込むのを防止した状態で繊維束Ｒの巻き付けを行ってもよい。例えば、カバー部２１の端部の外周面に、耐熱性のテープを第１及び第２の端部部材１３，１４の境に跨るように巻き付ける。ここで言う「耐熱性のテープ」とは、ＦＷの後の樹脂の硬化時の温度で溶融しないテープを意味する。カバー部２１の端部を第１及び第２の端部部材１３，１４に当接させて治具２０を第１及び第２の端部部材１３，１４連結したただけでは、加熱硬化時に当接部から樹脂がカバー部２１の内側に侵入する虞がある。しかし、耐熱性のテープを巻き付けることにより、ＦＷ後に、成形体３８を硬化させる際、樹脂がカバー部２１の端面と、第１及び第２の端部部材１３，１４との隙間から、カバー部２１の内側に入り込んで硬化することを防止できる。その結果、治具２０と第１及び第２の端部部材１３，１４との連結を解除する際、カバー部２１の取り外しが難くなるのを防止することができる。
【０１１１】
○  樹脂がカバー部２１の内側に入り込むのを防止する手段として、治具２０を第１及び第２の端部部材１３，１４に連結する際、第１及び第２の端部部材１３，１４に当接されるカバー部２１の端面と、第１及び第２の端部部材１３，１４との間に耐熱性のシールリングを介装してもよい。耐熱性のシールリングとはＦＷの後の樹脂の硬化時の温度に耐え得るものであり、例えばシリコーンゴム製、フッ素樹脂製のものが挙げられる。この場合も、ＦＷ後に、成形体３８を硬化させる際、樹脂がカバー部２１の端面と、第１及び第２の端部部材１３，１４との隙間から、カバー部２１の内側に入り込んで硬化することを防止できる。図８のように、カバー部２１の外周面と、第１及び第２の端部部材１３，１４の外周面との間に段差がある状態でカバー部２１を第１及び第２の端部部材１３，１４に当接させる場合、耐熱性のテープを巻き付けたのでは、シールを良好に行うことが難しい。しかし、シールリングを使用すると、段差がある場合でもシールを良好に行うことができる。
【０１１２】
○  摩擦圧接により支持筒４１と継手部１３ｂとを接合して第１の端部部材１３を構成する場合、支持筒４１を摩擦圧接に必要な力で保持できれば、突出部４１ａの形状は任意である。例えば、突出部４１ａの外周面にギヤ部や多角形の把持部を設けてもよい。
【０１１３】
〇  第１及び第２の端部部材１３，１４の材質は金属に限らず、セラミックスでもよい。しかし、金属の方がバランスピースの取付けが容易、動力伝達シャフトの取り扱いの際に第１及び第２の端部部材１３，１４がどこかにぶっかっても壊れ難い等の利点がある。
【０１１４】
○  動力伝達用シャフトは、プロペラシャフト１１用に限定されず、その他の動力伝達用シャフトに適用してもよい。
○  筒部材１２の形状は全体を円筒状とするものに限定されず、両端部を円筒状とし、中間部を多角形筒状としてもよい。その場合、被巻付け部材１５も対応する多角形筒状に形成される。
【０１１５】
○  筒部材１２の材料であるＦＲＰは、強化繊維として炭素繊維を、マトリックス樹脂としてエポキシ樹脂を使用したものに限らない。例えば、強化繊維として、アラミド繊維、ガラス繊維等の一般に高弾性・高強度といわれるその他の繊維を採用したり、マトリックス樹脂として、不飽和ポリエステル樹脂、フェノール樹脂、ポリイミド樹脂等のその他の熱硬化性樹脂を採用してもよい。しかし、プロペラシャフト１１の場合は、炭素繊維とエポキシ樹脂の組み合わせが強度やコストの点で好ましい。
【０１１６】
○  ＦＲＰのマトリックス樹脂が熱硬化性樹脂であることに限定されない。例えば紫外線硬化樹脂をマトリックス樹脂として使用してもよい。
以下の技術的思想（発明）は前記実施の形態から把握できる。
【０１１７】
（１）  請求項７に記載の発明において、前記端部部材は少なくとも一方がヨークタイプの継手である。
（２）  請求項９に記載の発明において、ＦＷ時に１〜３本の繊維束が同時に巻き付けられる。
【０１１８】
（３）  請求項９又は前記技術的思想（２）に記載の発明において、前記凸部はピンによって構成されている。
（４）  請求項９又は前記技術的思想（２）に記載の発明において、前記係止部は繊維束の巻き付け角度に対応したローレットによって構成されている。
【０１１９】
（５）  請求項９に記載の発明において、前記係止部は一定間隔で端部部材の軸方向に対して最内層に形成されるヘリカル巻層の樹脂含浸繊維束の配列角度と等しい角度で互いに平行に延びる複数の凸条で構成され、ＦＷは少なくとも最内層のヘリカル巻層を形成する際は、当該最内層を構成する全ての樹脂含浸繊維束の巻付けが同時に行われる。
【０１２０】
（６）  請求項８〜請求項１０のいずれか一項に記載の発明において、ＦＷ後、巻き付けられた樹脂含浸繊維束を、樹脂硬化前に前記治具の端部と前記繊維束被巻付け部との間と対応する位置で切断した後、治具を端部部材から取り外し、被巻付け部及び端部部材に巻き付けられた樹脂含浸繊維束を硬化する。
【０１２１】
（７）  請求項１４に記載の発明において、前記ピンは前記カバー部に取り外し可能に設けられている。
（８）  繊維強化プラスチック製シャフトの少なくとも一端に端部部材が結合された動力伝達シャフトの製造方法であって、
被巻付け部材の少なくとも一端に繊維束被巻付け部を備えた端部部材を取り付け、該端部部材の前記繊維束被巻付け部を除いた箇所をカバー部を備えた治具で覆った状態でＦＷを行い、その後前記治具を取り外す動力伝達シャフトの製造方法。
【０１２２】
（９）  請求項８〜請求項１２及び前記技術的思想（２）〜（５）に記載の発明において、前記治具を前記端部部材に連結する際、前記端部部材に当接される前記カバー部の端面と、前記端部部材との隙間から、樹脂がカバー部の内側に入り込むのを防止した状態でフィラメントワインディングを行う。
【０１２３】
【発明の効果】
以上、詳述したように、請求項１〜請求項８に記載の発明の動力伝達シャフトによれば、ＦＲＰ製チューブへのセレーションの圧入を行うための構成に起因する不具合を解消でき、しかも、回転トルクの伝達が良い。また、請求項９〜請求項１３に記載の発明によれば、前記の効果を有する動力伝達シャフトを容易に製造することができ、ヨークタイプの継手を設けることが可能になる。また、請求項１４〜請求項１６に記載の発明の治具を使用することで、前記動力伝達シャフトの製造が容易になる。
【図面の簡単な説明】
【図１】（ａ）は第１の実施の形態のプロペラシャフトの一部破断側面図、（ｂ）は（ａ）のＡ−Ａ線における模式断面図。
【図２】模式分解斜視図。
【図３】治具が組み付けられた状態の一部破断模式断面図。
【図４】ＦＷ装置の部分概略図。
【図５】図４のＢ−Ｂ線における模式拡大断面図。
【図６】樹脂含浸繊維束の切断位置を示す模式断面図。
【図７】第２の実施の形態の部分模式分解断面図。
【図８】治具の連結状態を示す模式部分断面図。
【図９】（ａ）は別の実施の形態の端部部材の斜視図、（ｂ）は別の端部部材の側面図。
【図１０】（ａ）〜（ｄ）は別の実施の形態の端部部材の側面図。
【図１１】（ａ）は従来技術のプロペラシャフトの部分分解断面図、（ｂ）はプロペラシャフトの断面図、（ｃ）は（ｂ）の部分拡大図。
【図１２】（ａ），（ｂ）は別の従来技術のプロペラシャフトの製法を示す模式斜視図。
【符号の説明】
Ｒ…繊維束、１１…動力伝達シャフトとしてのプロペラシャフト、１２…筒部材、１２ａ…結合部分、１３，１４…端部部材、１３ａ，１４ａ…繊維束被巻付け部、１３ｂ，１４ｂ…継手部、１３ｄ…孔、１５…被巻付け部材、１６…セレーション、１８ａ，１８ｃ…ヘリカル巻層、２０…治具、２１…カバー部、２２…軸部、２３…ピン、２４…支持部、２４ａ…固定部としてのＴ字状部、２４ｂ…雄ねじ部、２５…支持部としてのボルト、３０…フィラメントワインディング装置（ＦＷ装置）、３２…回転支持部としてのチャック、４３…係止部としてのピン、４４…係止部としてのローレット。
【図１】
2004293714.tif 000003
【図２】
2004293714.tif 000004
【図３】
2004293714.tif 000005
【図４】
2004293714.tif 000006
【図５】
2004293714.tif 000007
【図６】
2004293714.tif 000008
【図７】
2004293714.tif 000009
【図８】
2004293714.tif 000010
【図９】
2004293714.tif 000011
【図１０】
2004293714.tif 000012
【図１１】
2004293714.tif 000013
【図１２】
2004293714.tif 000014